(57)【要約】      （修正有）【課題】複数のセルから受信された多重経路信号を複数のフィンガーで復調する非同期端末機のセル別復調タイミングを管理する方法及び装置を提供する。【解決手段】セル別にマッピングされたフィンガーを示すマッピング情報と、複数のセルの復調情報及び復調タイミング情報とを取得する。マッピング情報に従って複数のフィンガーをセル別にグルーピングする。グルーピングされたフィンガーのそれぞれに該当セルの復調情報を提供する。該当セルの復調情報を用いて、グルーピングされたフィンガーで、該当セルからの受信信号を復調する。【選択図】図３
2006087123.tif 000002
【特許請求の範囲】
【請求項１】
複数のセルから受信された多重経路信号を複数のフィンガーで復調する非同期端末機のセル別復調タイミングを管理する方法であって、
セル別にマッピングされた複数のフィンガーを示すマッピング情報及び前記複数のセルの復調情報及び復調タイミング情報を取得するステップと、
前記マッピング情報に従って、前記複数のフィンガーを前記セル別にグルーピングするステップと、
前記グルーピングされたフィンガーのそれぞれに該当セルの復調情報を提供するステップと、
前記該当セルの復調情報を用いて、前記グルーピングされたフィンガーで前記該当セルからの受信信号を復調するステップと
を含むことを特徴とする方法。
【請求項２】
前記復調情報は、
前記セルに関連したスクランブリングコードと、チャンネルオフセットと、復調方式を示すダイバーシティモードとを具備することを特徴とする請求項１記載の方法。
【請求項３】
前記復調情報を提供するステップは、
前記セル別に前記グルーピングされたフィンガーで前記スクランブリングコードを設定するステップと、
前記セル別に前記グルーピングされたフィンガーで前記チャンネルオフセットを設定するステップと、
前記セル別に前記グルーピングされたフィンガーでダイバーシティモードを設定するステップとを具備することを特徴とする請求項２記載の方法。
【請求項４】
前記復調タイミング情報に従って、前記グルーピングされたフィンガーのセル別復調タイミングを管理するステップをさらに具備することを特徴とする請求項１記載の方法。
【請求項５】
前記復調タイミング情報は、
前記セルのセル別システムフレーム番号（ＳＦＮ）情報と、前記セルのうちの基準セルを示す基準セル情報と、前記セルにマッピングされたフィンガーのうちの基準フィンガーを示すセル別基準フィンガー情報とを具備することを特徴とする請求項４記載の方法。
【請求項６】
前記セル別復調タイミングを管理するステップは、
前記セル別基準フィンガー情報に従って、ＳＦＮ値が該当セルの基準フィンガーの同期タイミング情報に同期するように、前記セル別ＳＦＮ情報に従う該当セルのＳＦＮ値を管理するステップと、
前記基準セル情報に従う前記基準セルの管理されたＳＦＮ値を選択するステップと、
接続フレーム番号（ＣＦＮ）が前記選択されたＳＦＮ値に同期するように、前記端末機のＣＦＮを管理し、前記管理されたＣＦＮ値を前記フィンガーの復調タイミングを示す復調基準信号として生成するステップとを具備することを特徴とする請求項５記載の方法。 
【請求項７】
複数のセルから受信された多重経路信号を復調する非同期端末機のセル別復調タイミングを管理する装置であって、
複数のフィンガーから構成されるレーキ受信器と、
セル別にマッピングされた複数のフィンガーを示すマッピング情報及び前記セルの復調情報及び復調タイミング情報を取得し、前記マッピング情報に従って、前記セル別に前記複数のフィンガーをグルーピングし、前記グルーピングされたフィンガーのそれぞれに該当セルの復調情報を提供するセル管理制御部と
を具備することを特徴とする装置。
【請求項８】
前記復調情報は、
前記セルに関連したスクランブリングコードと、チャンネルオフセットと、復調方式を示すダイバーシティモードとを具備することを特徴とする請求項７記載の装置。
【請求項９】
前記セル管理制御部は、
前記セル別に前記グルーピングされたフィンガーで前記スクランブリングコードを設定し、前記セル別に前記グルーピングされたフィンガーで前記チャンネルオフセットを設定し、前記セル別に前記グルーピングされたフィンガーでダイバーシティモードを設定することを特徴とする請求項８記載の装置。
【請求項１０】
前記復調タイミング情報に従って、前記グルーピングされたフィンガーのセル別復調タイミングを管理する復調タイミング管理部をさらに具備することを特徴とする請求項７記載の装置。
【請求項１１】
前記復調タイミング情報は、
前記セルのセル別システムフレーム番号（ＳＦＮ）情報と、前記セルのうちの基準セルを示す基準セル情報と、前記セルにマッピングされたフィンガーのうちの基準フィンガーを示すセル別基準フィンガー情報とを具備することを特徴とする請求項１０記載の装置。
【請求項１２】
前記復調タイミング管理部は、
前記セル別基準フィンガー情報に従って、前記複数のセルの基準フィンガーの同期タイミングを選択する複数の第１の多重化器と、
ＳＦＮ値が前記複数の第１の多重化器によって選択された基準フィンガーの同期タイミングに同期するように、前記セル別ＳＦＮ情報に従う前記複数のセルの前記ＳＦＮ値を管理するセル別ＳＦＮタイミング管理カウンターと、
前記セル別ＳＦＮタイミング管理カウンターによって管理された前記ＳＦＮ値のうちから、前記基準セル情報に従う前記基準セルのＳＦＮ値を選択する第２の多重化器と、
接続フレーム番号（ＣＦＮ）が前記第２の多重化器によって選択された前記ＳＦＮ値に同期するように、前記端末機のＣＦＮを管理し、前記管理されたＣＦＮ値を前記フィンガーの復調タイミングを示す復調基準信号として生成する接続フレーム番号（ＣＦＮ）タイミング管理カウンターとを具備することを特徴とする請求項１１記載の装置。  
【発明の詳細な説明】
【技術分野】
【０００１】
本発明は、非同期移動通信端末機に関し、特に、セル別に復調タイミングを管理する方法及び装置に関する。
【背景技術】
【０００２】
第３世代の移動通信システムは、符号分割多重接続（Code Division Multiple Access；ＣＤＭＡ）技術を使用し、移動電話又は端末機ユーザが全世界のどこにいるかにかかわらず、パケットに基づくテキスト、デジタル化された音声又はビデオ及びマルチメディアデータを秒当たり２メガビット（Ｍｂｐｓ）以上のデータ送信率で送信することができる一貫したサービスを提供する。このような第３世代の移動通信システムは、ヨーロッパの標準方式として採択されたＵＭＴＳ（Universal Mobile Telecommunication service）と米国の標準方式として採択されたＣＤＭＡ−２０００とに区分される。
【０００３】
ＣＤＭＡ−２０００は、大韓民国、米国、日本などで使用されるＩＳ（Interim Standard）−９５及びＪ−ＳＴＤ００８のような第２世代のＣＤＭＡシステムに基づく同期移動通信システムである。ＵＭＴＳは、ヨーロッパ及び他の地域で広範囲に使用されるＧＳＭ（Global System for Mobile communication）及びＧＰＲＳ（General Packet Radio Services）に基づいて、ＣＤＭＡを使用する非同期移動通信システムである。
【０００４】
一般的に、同期式セルラー移動通信方式は、無線環境で、セル別に、あるいは、基地局別に、ＧＰＳ（Global Positioning System）時間に同期して決定されたタイミングでデータを送信する。従って、一旦、パイロットチャンネル（Pilot Channel）を介して同期を取得すると、他のセルに対しては、同期を取得する必要がなく、既存のタイミング情報を使用してデータを復調する。
【０００５】
一方、非同期式セルラー移動通信方式は、ＧＰＳ時間とは無関係に、基地局別に（以下、‘セル別に’と称する）相互に異なるタイミングでデータを送信する。すると、非同期端末機は、セル別に送信された基準信号であるＣＰＩＣＨ（Common Pilot Channel）を使用して、各セルに対する送信タイミングを取得し、上記送信タイミングに同期を合わせてデータを復調する。
【０００６】
非同期端末機において、上記送信タイミングは、無線チャンネル上に発生する多重経路信号を復調するフィンガー（Finger）別に管理される。上記フィンガーは、レーキ（ＲＡＫＥ）受信器で多重経路信号を復調するためのハードウェア素子である。各フィンガーの動作を制御するための制御情報は、上記フィンガーが上記制御情報を参照することができるように、レジスタファイルで管理される。上記レジスタファイルは、マイクロプロセッサーで上位レイヤーの制御メッセージを使用して、物理レイヤーのハードウェアを制御するための情報及び命令を含む。
【０００７】
図１は、従来技術によるフィンガー別の管理のための制御情報を有するレジスタファイルを示すテーブルである。
図１を参照すると、ＲｅｆＦｉｎｇｅｒ１０２は、非同期方式の端末機に提供された複数のフィンガーのうち、基準フィンガーを設定するための情報である。Ｆ＃ＣｏｄｅＩＤ１０４は、フィンガー別にスクランブリングコード（Scramble Code）を設定し、基地局（Ｎｏｄｅ B）から端末機へ送信されたデータのセル別のタイミングを探すための情報である。Ｆ＃ＣｈＯｆｆｓｅｔ１０６は、フィンガーへ情報を送信するために、フィンガー別にＣＰＩＣＨオフセットを設定するための情報である。Ｆ＃Ｍｏｄｅ１０８は、フィンガー別に、ダイバーシティモードを設定するための情報である。上記ダイバーシティモードとしては、ＳＴＴＤ（Space Time Transmit Diversity）モード、ＴＸＡＡ（Transmit Adaptive Array）モード、及びノーマル（Normal）モードなどがある。
【０００８】
具体的に、非同期端末機の物理レイヤーは、マイクロプロセッサーから構成された上位レイヤーからダウンロードされた制御メッセージをフィンガー別に受信することができるように構成される。従って、非同期端末機は、上位からセル別にスクランブリングコードと、チャンネルオフセット（channel offset）と、ダイバーシティモード（Diversity mode）とに関する制御情報を受信し、上記制御情報をレジスタファイルで管理し、上記制御情報をフィンガー別に分配する。
【０００９】
上述したように、従来技術による非同期移動通信方式の端末機は、セル別に送信された制御情報を読み出してフィンガー別に分配する動作をフィンガーの個数だけ繰り返す。従って、マイクロプロセッサーの占有時間及び負荷が増加するという問題点があった。また、上記非同期端末機が相互に異なるタイミングでセルから送信されたデータをフィンガー別に管理する場合に、特に、ソフトハンドオーバー（Soft handover）を遂行する際に、通信の途切れがあった。
【発明の開示】
【発明が解決しようとする課題】
【００１０】
上記背景に鑑みて、本発明の目的は、非同期移動通信方式の端末機がデータを復調するために、セル別にタイミングを取得する方法及び装置を提供することにある。
本発明の他の目的は、ソフトハンドオーバーが遂行される際に、途切れのない通信を支援するために、セル別に復調タイミングを管理する方法及び装置を提供することにある。
本発明のまた他の目的は、セル別に復調タイミングを管理するために、上位レイヤーから送信されたセル別制御メッセージを物理レイヤーへ適切に適用することができる方法及び装置を提供することにある。
【課題を解決するための手段】
【００１１】
このような目的を達成するために、本発明の望ましい実施形態によれば、複数のセルから受信された多重経路信号を複数のフィンガーで復調する非同期端末機のセル別復調タイミングを管理する方法は、セル別にマッピングされた複数のフィンガーを示すマッピング情報及び上記複数のセルの復調情報及び復調タイミング情報を取得するステップと、上記マッピング情報に従って、上記複数のフィンガーを上記セル別にグルーピングするステップと、上記グルーピングされたフィンガーのそれぞれに該当セルの復調情報を提供するステップと、上記該当セルの復調情報を用いて、上記グルーピングされたフィンガーで上記該当セルからの受信信号を復調するステップとを含むことを特徴とする。
【００１２】
本発明の他の望ましい実施形態によれば、複数のセルから受信された多重経路信号を復調する非同期端末機のセル別復調タイミングを管理する装置は、複数のフィンガーから構成されるレーキ受信器と、セル別にマッピングされた複数のフィンガーを示すマッピング情報及び上記セルの復調情報及び復調タイミング情報を取得し、上記マッピング情報に従って、上記セル別に上記複数のフィンガーをグルーピングし、上記グルーピングされたフィンガーのそれぞれに該当セルの復調情報を提供するセル管理制御部とを具備することを特徴とする。
【発明の効果】
【００１３】
本発明の実施形態は、非同期移動通信システムにおいて、ソフトハンドオーバー状況、すなわち、送信タイミングが相互に異なる複数のセルで、データ送／受信を同時に遂行する端末機で、セル別の復調タイミングのための管理方法を適用することによって、システムの負荷及びコストを低減させることができる、という長所がある。
【発明を実施するための最良の形態】
【００１４】
以下、本発明の望ましい実施形態を添付の図面を参照して詳細に説明する。下記に本発明に関連した公知の機能又は構成に関する具体的な説明が、本発明の要旨を不明にする可能性があると判断された場合に、その詳細な説明を省略する。そして、下記に説明する用語は、本発明での機能を考慮して定義されたもので、これは、ユーザ又はオペレータの意図又は慣例などに従って変更されることができる。従って、その用語は、本明細書の全般にわたった内容に基づいて定義されるべきである。
【００１５】
セルラー移動通信システムにおいて、端末機は、セル別に指定されたスクランブリングコードを使用して同期を取得する。また、セル別に、エア（air）上の反射による多重経路成分が存在する場合に、端末機は、それぞれの経路に対する信号の大きさを測定して、セル別多重経路成分のタイミングを管理する。上記セル別多重経路成分は、一定な大きさを有する場合に復調される。すなわち、最近に復調された多重経路成分のタイミングは、該当セル別に管理されなければならない。従って、本発明の望ましい実施形態では、端末機がセル別に割り当てられたフィンガーのマッピング情報を有し、セル別に基準経路（すなわち、フィンガー）を選択して、該当セルに対するタイミングを管理する。セル別にタイミングを管理する理由は、ソフトハンドオーバー状況で途切れのないデータの送受信を遂行することができるように、セル別データ送信タイミングのシステムフレーム番号（System Frame Number；ＳＦＮ）を管理し、復調されるデータの同期時点を管理しなければならないためである。
【００１６】
例えば、端末機は、物理チャンネルを論理チャンネルに接続するための送信チャンネルの復調時点を決定するための信号である復調基準信号を使用する。上記復調基準信号は、セル別に管理されたタイミング情報のうち、基準セルで管理されるタイミング情報に関連して生成される。ソフトハンドオーバー状況で、基準セルが変更される場合に、端末機のデータ復調タイミングである接続フレーム番号（Connection Frame Number；ＣＦＮ）とＳＦＮとの間の時間変位値を使用して、上記基準セルのタイミング情報を補正することによって、新たな復調基準信号を生成する。
【００１７】
図２は、本発明の望ましい実施形態によるセル別復調タイミングを管理するための制御情報を有するレジスタファイルを示すテーブルである。上述した情報の意味をさらに詳細に説明する。
図２を参照すると、上記制御情報は、マッピング情報と、復調タイミング管理情報と、復調情報と、から構成される。上記制御情報は、それぞれのセル個数だけ存在する。
ＳｅｔＣｅｌｌ＃ＦｉｎｇｅｒＭａｐ２０２は、各セルにマッピングされたフィンガーを設定する情報である。このとき、＃は、セル番号を意味する。従って、セル個数だけのＳｅｔＣｅｌｌ＃ＦｉｎｇｅｒＭａｐ２０２が存在し、上記マッピング情報に従って、全体フィンガーは、セル個数だけのフィンガーグループにグルーピングされる。例えば、ＳｅｔＣｅｌｌ３ＦｉｎｇｅｒＭａｐは、セル＃３に割り当てられた複数のフィンガーを示す。上記フィンガーは、該当セルの同期獲得に基づいた多重経路成分を割り当てられ、復調動作を遂行する。上記マッピング情報に従ってグルーピングされたフィンガーは、セル別に管理され、セル別に動作する電力制御又はタイミング管理のために使用される。 
【００１８】
ＳｅｔＣｅｌｌ＃ＲｅｆＦｉｎｇｅｒ２０４と、ＳｅｔＲｅｆＣｅｌｌ２０６と、ＳｅｔＣｅｌｌ＃ＳＦＮ２０８とは、上記セル別にマッピングされたフィンガーがデータを復調するための復調タイミングを管理する情報である。同様に、セル個数だけのＳｅｔＣｅｌｌ＃ＲｅｆＦｉｎｇｅｒ２０４及びＳｅｔＣｅｌｌ＃ＳＦＮ２０８が存在し、＃は、セル番号を意味する。
【００１９】
ＳｅｔＣｅｌｌ＃ＲｅｆＦｉｎｇｅｒ２０４は、セル別にマッピングされたフィンガーのうちの基準フィンガーを設定するための情報である。例えば、ＳｅｔＣｅｌｌ３ＲｅＦｉｎｇｅｒは、セル＃３に割り当てられたフィンガーのうちの基準フィンガーを示す。ここで、上記設定された基準フィンガーは、該当セルのタイミングを管理する基準になる。ＳｅｔＲｅｆＣｅｌｌ２０６は、複数のセルのうちの基準セルを設定するための情報である。ここで、基準セルタイミングは、端末機受信器の全体タイミングを管理するための基準になる。
【００２０】
ＳｅｔＣｅｌｌ＃ＳＦＮ２０８は、セル別ＳＦＮ値を設定するための情報である。例えば、ＳｅｔＣｅｌｌ３ＳＦＮは、セル＃３の現在のＳＦＮを示す。セル別に設定されたＳＦＮを使用して、セル別復調タイミングが管理される。端末機受信器は、上記基準セルのＣＦＮと上記セル別に設定されたＳＦＮとの間の時間変位情報を使用して、物理チャンネルを論理チャンネルに接続する送信チャンネルの復調開始時点を取得する。
【００２１】
ＳｅｔＣｅｌｌ＃ＣｏｄｅｄＩＤ２１０、ＳｅｔＣｅｌｌ＃ＣｈＯｆｆｓｅｔ２１２、及びＳｅｔＣｅｌｌ＃Ｍｏｄｅ２１４は、セル別にマッピングされたフィンガーがデータを復調するための復調情報である。同様に、セル個数だけの復調情報が存在し、ここで、＃は、セル番号を意味する。上記復調情報は、上記マッピング情報に従ってグルーピングされたフィンガーにセル別に提供される。例えば、ＳｅｔＣｅｌｌ３ＣｏｄｅｄＩＤ、ＳｅｔＣｅｌｌ３ＣｈＯｆｆｓｅｔ、及びＳｅｔＣｅｌｌ３Ｍｏｄｅは、セル＃３に割り当てられたフィンガーへ提供される。
【００２２】
ＳｅｔＣｅｌｌ＃ＣｏｄｅＩＤ２１０は、ＳｅｔＣｅｌｌ＃ＦｉｎｇｅｒＭａｐ２０２に従って、それぞれの多重経路を復調するフィンガーに設定されたスクランブリングコードを示す。セルは、相互に異なるスクランブリングコードを有する。端末機受信器は、上記セルのスクランブリングコードを介して、該当セルのデータを区分する。
【００２３】
ＳｅｔＣｅｌｌ＃ＣｈＯｆｆｓｅｔ２１２は、複数のユーザデータが類似したタイミングで無線にて送信されることができるように、チャンネルオフセットをセル別に設定するための情報である。
【００２４】
ＳｅｔＣｅｌｌ＃Ｍｏｄｅ２１４は、受信ダイバーシティを適用し、異なる受信ダイバーシティモードがセル間で運営される場合に、セル別に設定されたダイバーシティモードを示す。上記ダイバーシティモードは、ＳｅｔＣｅｌｌ＃ＦｉｎｇｅｒＭａｐ２０２を用いて、フィンガー別に設定されることができる。端末機受信器は、基準セル情報を使用して、複数のセルのダイバーシティモードのうち、基準セルのダイバーシティモードをもってデコーディングを遂行する。 
【００２５】
図３は、本発明の望ましい実施形態による非同期端末機の受信器の構成を示すブロック図である。
図３を参照すると、マイクロプロセッサー、例えば、ＭＣＵ（Micro Controller Unit）３００は、受信器の全体的な動作を制御する。特に、レーキ受信器３２０のフィンガーグループ３２２、３２４、及び３２６のための制御情報をセル管理制御部３１０へ送信する。セル管理制御部（Cell Management Control unit；ＣＭＣ）３１０は、セル別にＭＣＵ３００から提供された制御情報をレジスタファイルで管理する。上述したように、上記制御情報は、マッピング情報と、復調情報と、復調タイミング情報とから構成される。
【００２６】
セル管理制御部３１０は、マッピング情報であるＳｅｔＣｅｌｌ＃ＦｉｎｇｅｒＭａｐ３１１に従って、セル別に該当するフィンガーをセル個数だけのフィンガーグループ３２２、３２４、３２６にグルーピングし、上記グルーピングされたフィンガーに該当セルの復調情報であるＳｅｔＣｅｌｌ＃ＣｏｄｅＩＤ３１５、ＳｅｔＣｅｌｌ＃ＣｈＯｆｆｓｅｔ３１６、及びＳｅｔＣｅｌｌ＃Ｍｏｄｅ３１７のそれぞれを提供する。また、セル管理制御部３１０は、復調タイミング情報であるＳｅｔＣｅｌｌ＃ＲｅｆＦｉｎｇｅｒ３１２、ＳｅｔＲｅｆＣｅｌｌ３１３、及びＳｅｔＣｅｌｌ＃Ｓｆｎ３１４を提供する。セル管理制御部３１０は、各セルに関連した多重化器（ＭＵＸ１、ＭＵＸ２、及びＭＵＸ３）３３１、３３２、及び３３３のそれぞれにＳｅｔＣｅｌｌ＃ＲｅｆＦｉｎｇｅｒ３１２を提供する。セル管理制御部３１０は、セル別ＳＦＮタイミング管理カウンター３３４、３３５、及び３３６にＳｅｔＣｅｌｌ＃Ｓｆｎ３１４を提供する。セル管理制御部３１０は、多重化器（ＭＵＸ４）３４０にＳｅｔＲｅｆＣｅｌｌ３１３を提供する。
【００２７】
レーキ（ＲＡＫＥ）受信器３２０は、セル１に対するフィンガーグループ３２２と、セル２に対するフィンガーグループ３２４と、セルＭに対するフィンガーグループ３２４とから構成され、セル１に対するフィンガーグループ３２２〜セルＭに対するフィンガーグループ３２６は、ＭＣＵ３００のＳｅｔＣｅｌｌ＃ＦｉｎｇｅｒＭａｐ３１１に従って割り当てられた複数のフィンガーを含む。すなわち、セル１に対するフィンガーグループ３２２は、フィンガー−１ ３２２ａと、フィンガー−２ ３２２ｂと、フィンガー−３ ３２２ｃとから構成される。上記セル２に対するフィンガーグループ３２４は、フィンガー−５ ３２４ａとフィンガー−６ ３２４ｂとから構成される。セルＭに対するフィンガーグループ３２６は、フィンガー−Ｎ−１ ３２６ａとフィンガー−Ｎ ３２６ｂとから構成される。上述したように、全体Ｎ個のフィンガーは、非同期端末機がソフトハンドオーバーに基づいて通信を遂行するＭ個のセルにセル別にグルーピングされてマッピングされる。ここで、各フィンガーに多重経路成分のタイミングオフセットを提供する探索器（Searcher）が本発明の主な要旨とは直接的な関連がないので、説明を省略する。
【００２８】
セル１、セル２、及びセルＭに対するフィンガーグループ３２２、３２４、及び３２６には、ＳｅｔＣｅｌｌ＃ＣｏｄｅＩＤ３１５に従って、相互に異なるスクランブリングコードが設定され、ＳｅｔＣｅｌｌ＃ＣｈＯｆｆｓｅｔ３１６に従って、上記基準セルのＣＰＩＣＨに関連したチャンネルオフセット値が設定され、ＳｅｔＣｅｌｌ＃Ｍｏｄｅ３１７に従って、ダイバーシティモードが設定される。
【００２９】
セル１に対するＳＦＮタイミング管理カウンター３３４と、セル２に対するＳＦＮタイミング管理カウンター３３５と、セルＭに対するＳＦＮタイミング管理カウンター３３６とは、セル管理制御部３１０から提供されたＳｅｔＣｅｌｌ＃Ｓｆｎ３１４に従って、それぞれのセル１、セル２、及びセルＭに対するフィンガーグループ３２２、３２４、及び３２６のＳＦＮ及び復調タイミングを管理する。
【００３０】
次に、タイミング管理動作について、さらに詳細に説明する。
セル１に対するフィンガーグループ３２２に接続されたＭＵＸ−１ ３３１は、セル管理制御部３１０からのＳｅｔＣｅｌｌ＃ＲｅｆＦｉｎｇｅｒ３１２を介して、セル１に対する基準フィンガー情報を取得し、上記セル１に対する基準フィンガー情報に従って、セル１に対するフィンガーグループ３２２のフィンガー−１ ３２２ａ〜フィンガー−３ ３２２ｃが受信した多重経路成分の同期タイミングのうち、セル１に対する基準フィンガーの同期タイミングを選択する。ここで、各フィンガーの同期タイミングは、各フィンガーが使用したフレーム境界（frame boundary）に同期する信号、すなわち、フレーム境界信号を意味する。セル１に対するＳＦＮタイミング管理カウンター３３４は、セル管理制御部３１０からのＳｅｔＣｅｌｌ＃Ｓｆｎ３１４を介してセル１に対するＳＦＮを取得し、セル１に対する基準フィンガーの同期タイミングで、上記ＳＦＮの値を出力する。
【００３１】
セル２に対するフィンガーグループ３２４に接続されたMUX−２ ３３２は、セル管理制御部３１０からのＳｅｔＣｅｌｌ＃ＲｅｆＦｉｎｇｅｒ３１２を介して、セル２に対する基準フィンガー情報を取得し、上記セル２に対する基準フィンガー情報に従って、セル２に対するフィンガーグループ３２４のフィンガー−５ ３２４ａ及びフィンガー−６ ３２４ｂが受信した多重経路成分の同期タイミングのうち、セル２に対する基準フィンガーの同期タイミングを選択する。セル２に対するＳＦＮタイミング管理カウンター３３５は、セル管理制御部３１０からのＳｅｔＣｅｌｌ＃Ｓｆｎ３１４を介してセル２に対するＳＦＮを取得し、セル２に対する基準フィンガーの同期タイミングで、上記ＳＦＮの値を出力する。
【００３２】
セルＭに対するフィンガーグループ３２６に接続されたＭＵＸ−３ ３３３は、セル管理制御部３１０からのＳｅｔｅｌｌ＃ＲｅｆＦｉｎｇｅｒ３１２を介して、セルＭに対する基準フィンガー情報を取得し、上記セルＭに対する基準フィンガー情報に従って、セルＭに対するフィンガー−Ｎ−１ ３２４ａ及びフィンガー−Ｎ ３２６ｂが受信した多重経路成分の同期タイミングのうち、セルＭに対する基準フィンガーの同期タイミングを選択する。セルＭに対するＳＦＮタイミング管理カウンター３３６は、セル管理制御部３１０からのＳｅｔＣｅｌｌ＃Ｓｆｎ３１４を介してセルＭに対するＳＦＮ情報を取得し、上記セルＭに対する基準フィンガーの同期タイミングで、上記ＳＦＮの値を出力する。
【００３３】
復調タイミングを探すためには、基準セルに対するＳＦＮを必要とする。ソフトハンドオーバーに従って、上記基準セルが継続して変わるので、セル管理制御部３１０は、基準セル情報を示すＳｅｔＲｅｆＣｅｌｌ３１３をＭＵＸ−４ ３４０へ提供する。ＭＵＸ−４ ３４０は、セル１に対するＳＦＮタイミング管理カウンター３３４乃至セルＭに対するＳＦＮタイミング管理カウンター３３６が出力した各セルのＳＦＮ値のうち、上記基準セルのＳＦＮ値を選択し、上記選択されたＳＦＮ値を接続フレーム番号（ＣＦＮ）タイミング管理カウンター３５０へ出力する。ＣＦＮタイミング管理カウンター３５０は、基準セル情報３１３のＳＦＮと端末機のＣＦＮとの間の時間変位測定を使用して、端末機のＣＦＮをトラッキング（Tracking）する。従って、端末機のＣＦＮが上記基準セルに対するＳＦＮ値に同期するように、端末機のＣＦＮを調整し、上記調整されたＣＦＮの値を示す復調基準信号３６０を生成する。ここで、ＭＵＸ３３１、３３２、３３３、及び３４０と、ＳＦＮタイミング管理カウンター３３４、３３５、及び３３６と、ＣＦＮタイミング管理カウンター３５０とは、復調タイミング管理部３３０を形成する。
【００３４】
上述したように、上記基準セルに対するＳＦＮが端末機のＣＦＮに同期すると、すべてのセルに対するフィンガー３２２ａ〜３２６ｂは、セル管理制御部３１０を介して取得したセルのスクランブリングコード、チャンネルオフセット、及びダイバーシティモードを示す復調情報を使用して、復調基準信号３６０に応じて受信されたデータを復調し、上記復調されたデータを出力する。また、復調基準信号３６０は、所定のオフセットが送受信間に適用された後に、端末機の送信器へ提供され、送信タイミングに使用される。
【００３５】
図４は、本発明の望ましい実施形態による非同期端末機の受信器のセル管理制御部でフィンガー制御情報をセル別に処理する手順を示すフローチャートである。ここで、端末機がデータを受信することができるセルの総個数は、Ｍであり、フィンガーの総個数は、Ｎであり、上記Ｍは、Ｎよりも小さい。
図４を参照すると、ステップ４００で、セル管理制御部３１０は、上位レイヤーからセル別に提供された制御情報を受信し、各セルに対する受信データの復調情報及び復調タイミング情報をレーキ受信器のフィンガーにロードするために、次のステップへ進行する。ステップ４０２〜ステップ４１２は、セル別に動作する。すなわち、ステップ４０２で、セル管理制御部３１０は、セル別にマッピングされたフィンガーを示すマッピング情報（ＳｅｔＣｅｌｌ＃ＦｉｎｇｅｒＭａｐ）をロードし、上記マッピング情報に従って、該当セルにフィンガーを割り当てる。
【００３６】
ステップ４０４で、セル管理制御部３１０は、スクランブリングコード情報（ＳｅｔＣｅｌｌ＃ＣｏｄｅＩＤ）をロードし、ステップ４０６で、チャンネルオフセット情報（ＳｅｔＣｅｌｌ＃ＣｈＯｆｆｓｅｔ）をロードし、ステップ４０８で、ダイバーシティモード情報（ＳｅｔＣｅｌｌ＃Ｍｏｄｅ）をロードする。上記スクランブリングコード情報、上記チャンネルオフセット情報、及び上記ダイバーシティモード情報は、該当セルのフィンガーグループに対する復調情報として提供される。また、ステップ４１０で、セル管理制御部３１０は、基準フィンガー情報（ＳｅｔＣｅｌｌ＃ＲｅｆＦｉｎｇｅｒ）を該当セルに対するＭＵＸへ選択信号として入力し、ステップ４１２で、該当セルに対するＳＦＮタイミング管理カウンターへＳＦＮ情報（ＳｅｔＣｅｌｌ＃Ｓｆｎ）をロードする。
【００３７】
ステップ４１４で、セル管理制御部３１０は、すべてのセルに対する受信データの復調情報及び復調タイミング情報がセルの個数Ｍだけロードされたか否かを確認する。すべてのセルに対する情報が完全にロードされたら、上記手順は終了する。しかしながら、セルの個数Ｍだけの情報が完全にロードされなかったら、セル管理制御部３１０は、ステップ４０２へ戻って、残りのセルに対する復調情報及び復調タイミング情報をロードする。
【００３８】
上述したように、セル管理制御部３１０は、上位レイヤーから提供されたセル別制御情報をフィンガー別に処理する前に、セルのそれぞれに対する受信データの復調情報をまずロードする。上記復調情報をロードする作業は、セルの総個数Ｍだけの所定の回数で繰り返されるが、非同期システムでは、フィンガーの個数Ｎよりも上記セルの個数Ｍが小さく設定される。従って、セル管理制御部３１０のソフトウェアで、フィンガー別に上記フィンガー制御情報を分離する作業及びハードウェア（すなわち、物理レイヤー）へ伝達される命令の回数を減少させる。
【００３９】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００４０】
【図１】従来技術によるフィンガー別にタイミングを管理するための制御情報を有するレジスタファイルを示すテーブルである。
【図２】本発明の望ましい実施形態によるデータ信号のセル別復調タイミングを管理するための制御情報を有するレジスタファイルを示すテーブルである。
【図３】本発明の望ましい実施形態による非同期端末機の受信器の構成を示すブロック図である。
【図４】本発明の望ましい実施形態による非同期端末機の受信器のセル管理制御部が上位からの制御情報をセル別に処理する手順を示すフローチャートである。
【符号の説明】
【００４１】
３００    ＭＣＵ
３１０    セル管理制御部
３２０    レーキ受信器
３３０    復調タイミング管理部
【図１】
2006087123.tif 000003
【図２】
2006087123.tif 000004
【図３】
2006087123.tif 000005
【図４】
2006087123.tif 000006
【外国語明細書】
2006087123.tif 000007
2006087123.tif 000008
2006087123.tif 000009
2006087123.tif 000010
2006087123.tif 000011
2006087123.tif 000012
2006087123.tif 000013
2006087123.tif 000014
2006087123.tif 000015
2006087123.tif 000016
2006087123.tif 000017
2006087123.tif 000018
2006087123.tif 000019
2006087123.tif 000020
2006087123.tif 000021
2006087123.tif 000022
2006087123.tif 000023
2006087123.tif 000024
2006087123.tif 000025
2006087123.tif 000026